(57)【要約】【課題】ポンプ式製品やエアゾール式製品のシャットオフ機構を作成する際の組立作業の簡単化・効率化、また組立工程における各部材の管理の確実化を図る。【解決手段】シャットオフ機構のうち、アクチュエータキャップ９，突出ノズル８および移動弁５を除いた、ステムホルダー２，スパウト３，シャットオフ駆動部６およびコイルスプリング７の計四個の構成要素を、それぞれが互いに散けることなしに一体化された形のユニット構造とした。このユニット構造化のため、内容物放出口８ａのシャットオフ作動用の弁部材４を、ユニット対象外の移動弁５とユニット対象のシャットオフ駆動部６とに分割している。ステム１に取り付ける前のシャットオフ機構とするには、アクチュエータキャップ９の下開口部９ｇから前記ユニットを組み入れた後、円形開口部９ｂから移動弁５と突出ノズル８とを前記ユニットに組み付ける。【選択図】図２
2014076843.tif 000002
【特許請求の範囲】
【請求項１】
内容物放出操作部材として作用し、かつ、内容物放出用の突出ノズルの組込み対象外形部分に合致した形の閉周回形状の側面開口部を備えたアクチュエータキャップに、組み込まれる内容物放出口シャットオフ用のスパウトユニットにおいて、
前記アクチュエータキャップの内容物放出操作に応じて作動する内容物通過用のステムが、取り付けられるステムホルダーと、
前記ステムホルダーに移動可能な状態で組み込まれて、前記内容物放出操作の初期段階のシャットオフ作動により当該突出ノズルの内容物放出口がそれまでの閉状態から開状態に移行した後、当該ステムホルダーと連動するスパウトと、
前記スパウトに移動可能な状態で組み込まれて、前記初期段階で前記内容物放出口をそれまでの閉状態から開状態に移行させる弁部材の全体を分割して短くした形の、当該内容物放出口から遠い後側のシャットオフ駆動部と、
前記スパウトに組み込まれて、前記シャットオフ駆動部を前記内容物放出口の方に付勢するための弾性部材と、
を有し、
前記ステムホルダー，前記スパウト，前記シャットオフ駆動部および前記弾性部材はそれぞれ、
当該ステムホルダーの上に当該スパウトを組み込み、かつ、当該スパウトに当該シャットオフ駆動部および当該弾性部材を組み込んだ状態で、
その全体を上方からみたときの射影形状が、前記アクチュエータキャップの下開口部からその内部に組み入れられる形の大きさに設定されている、
ことを特徴とする内容物放出口シャットオフ用のスパウトユニット。
【請求項２】
前記スパウトは、
前記ステムホルダーに続く内容物通路域，シャットオフ作動用の筒状部および前記突出ノズルの保持部を備え、
前記シャットオフ駆動部および前記弾性部材はそれぞれ、
前記筒状部に組み込まれている、
ことを特徴とする請求項１記載の内容物放出口シャットオフ用のスパウトユニット。
【請求項３】
前記シャットオフ駆動部は、
前記筒状部の前記後側の開口部から前側へと組み込まれる形状からなる、
ことを特徴とする請求項１または２記載の内容物放出口シャットオフ用のスパウトユニット。
【請求項４】
前記ステムホルダーは、
前記内容物放出操作に基づいて、前記シャットオフ駆動部を前記後側へ移動させるためのカム作動部を備え、
前記シャットオフ駆動部は、
前記カム作動部に対応したカム従動部を備えている、
ことを特徴とする請求項１乃至３のいずれかに記載の内容物放出口シャットオフ用のスパウトユニット。
【請求項５】
前記筒状部は、
前記弾性部材を組み込んでその長手方向の一端側を保持するための内周面環状段部を備えている、
ことを特徴とする請求項１乃至４のいずれかに記載の内容物放出口シャットオフ用のスパウトユニット。
【請求項６】
請求項１乃至５のいずれかに記載の内容物放出口シャットオフ用のスパウトユニットをアクチュエータキャップに組み込んだ内容物放出口シャットオフ機構において、
前記アクチュエータキャップは、
前記スパウトユニットの全体を内部空間域に組み込むための前記下開口部と、
前記弁部材の全体を分割して短くした形の、前記内容物放出口のシャットオフ作用を呈する前側の移動弁を組み込んで前記シャットオフ駆動部に係合させ、かつ、当該内容物放出口を備えた前記突出ノズルを組み込むための閉周回形状の前記側面開口部と、を備えている、
ことを特徴とする内容物放出口シャットオフ機構。
【請求項７】
前記スパウトは、
前記ステムホルダーに続く内容物通路域，シャットオフ作動用の筒状部および前記突出ノズルの保持部を備え、
前記シャットオフ駆動部および前記弾性部材はそれぞれ、
前記筒状部に組み込まれている、
ことを特徴とする請求項６記載の内容物放出口シャットオフ機構。
【請求項８】
前記ステムホルダーは、
前記内容物放出操作に基づいて、前記シャットオフ駆動部を前記後側へ移動させるためのカム作動部を備え、
前記シャットオフ駆動部は、
前記カム作動部に対応したカム従動部を備えている、
ことを特徴とする請求項６または７記載の内容物放出口シャットオフ機構。
【請求項９】
請求項６乃至８のいずれかに記載のシャットオフ機構を備え、かつ、容器本体に内容物を収納した、
ことを特徴とするポンプ式製品。
【請求項１０】
請求項６乃至８のいずれかに記載のシャットオフ機構を備え、かつ、容器本体に噴射用ガスおよび内容物を収納した、
ことを特徴とするエアゾール式製品。
【発明の詳細な説明】
【技術分野】
【０００１】
本発明は、内容物放出操作部材として作用し、かつ、内容物放出用の突出ノズルの組込み対象外形部分に合致した形の閉周回形状の側面開口部を備えたアクチュエータキャップに、組み込まれる内容物放出口シャットオフ用のスパウトユニット、およびこのスパウトユニットを用いたシャットオフ機構などに関する。
【０００２】
このような本発明のスパウトユニットおよびシャットオフ機構はポンプ式製品およびエアゾール式製品の双方に用いられる。
【０００３】
特に、ステムが取り付けられるステムホルダーと、
内容物放出操作初期のシャットオフ作動により突出ノズルの内容物放出口がそれまでの閉状態から開状態に移行してからステムホルダーと連動するスパウトと、
内容物放出口に対するシャットオフ作動用の弁部材の全体を分割して短くした後側のシャットオフ駆動部と、
このシャットオフ駆動部を内容物放出口の方に付勢するための弾性部材と、
の計四個の構成要素を組み込んだ形のスパウトユニットに関する。
【０００４】
その基本的特徴は、アクチュエータキャップの閉周回形状の側面開口部（突出ノズルが取り付けられる開口部）から飛び出てしまうシャットオフ作動用の弁部材を分割して、その後側のシャットオフ駆動部をスパウトユニットの対象としたことである。
【０００５】
これにより、スパウトユニットを、その全体の上方からみたときの射影形状が、アクチュエータキャップの下開口部からその内部に組み入れられる大きさに設定している。
【０００６】
なお、弁部材分割後の前側の移動弁、および静止モードにおいて当該移動弁によりシャットオフされる突出ノズルは、スパウトユニット組込み後のアクチュエータキャップの閉周回形状の側面開口部からスパウトなどに取り付けられる。
【０００７】
本明細書では、前後の位置関係について、内容物放出口の側を「前」、それとは反対の例えば凸状部の側を「後」とそれぞれ記す。すなわち図２〜図４の左側が「前」で、右側が「後」となる。
【背景技術】
【０００８】
本件出願人は、ポンプ式製品やエアゾール式製品に備えられたシャットオフ機構において、シャットオフ動作用の弁部材の組立作業の簡単化、当該弁部材のカム動作の安定化，確実化および当該弁部材の移動時のシール性の確実化を図るため、シャットオフ動作用弁部材をその前側部分と後側部分とに分割することを提案している（特許文献１参照）。
【０００９】
このシャットオフ機構では、シャットオフ動作用の弁部材を、
・内容物通路域を設定する逆スカート部が含まれる前側部分（本発明の移動弁に対応）を軟材質の部材で構成し、
・内容物通路域の外側に形成されて内容物への影響がない後側部分（本発明のシャットオフ駆動部に対応）のカム従動部をカム作動に適した硬材質の部材としています。
【先行技術文献】
【特許文献】
【００１０】
【特許文献１】特開２０１１−８８６６３号公報
【発明の概要】
【発明が解決しようとする課題】
【００１１】
提案済みのシャットオフ機構は、シャットオフ動作用の弁部材の前後それぞれの部分の役割の違いに着目し、内容物通路域を構成する前側と当該通路域を構成しない後側との材質を変えることにより、弁部材全体としてのシール性の確実化およびカム動作の安定化などを実現する、という利点を備えたものである。
【００１２】
本発明は、このようなシャットオフ動作用の弁部材を前後で分割するといった考えをさらに検討し、ステムホルダー，スパウト，シャットオフ駆動部（内容物放出口に対する弁部材の後側部分）およびシャットオフ付勢用の弾性部材（例えばコイルスプリング）の計四個のパーツをユニット化できることに着目したものである。
【００１３】
このユニット化により、ステムホルダー，スパウト，弁部材（前側の移動弁＋後側のシャットオフ駆動部），弾性部材および突出ノズルの各部材をアクチュエータキャップに組み込んで最終的なシャットオフ機構を作成する際の、組立作業の簡単化，効率化を図ることを目的とする。
【００１４】
また、シャットオフ機構の組立工程における各部材の管理の確実化を図ることを目的とする。
【課題を解決するための手段】
【００１５】
本発明は、以上の課題を次のスパウトユニットなどを用いることにより解決する。
（１）内容物放出操作部材として作用し、かつ、内容物放出用の突出ノズル（例えば後述の突出ノズル８）の組込み対象外形部分（例えば後述の大径横筒状部８ｂ）に合致した形の閉周回形状の側面開口部（例えば後述の円形開口部９ｂ）を備えたアクチュエータキャップ（例えば後述のアクチュエータキャップ９）に、組み込まれる内容物放出口シャットオフ用のスパウトユニットにおいて、
前記アクチュエータキャップの内容物放出操作に応じて作動する内容物通過用のステム（例えば後述のステム１）が、取り付けられるステムホルダー（例えば後述のステムホルダー２）と、
前記ステムホルダーに移動可能な状態で組み込まれて、前記内容物放出操作の初期段階のシャットオフ作動により当該突出ノズルの内容物放出口（例えば後述の内容物放出口８ａ）がそれまでの閉状態から開状態に移行した後、当該ステムホルダーと連動するスパウト（例えば後述のスパウト３）と、
前記スパウトに移動可能な状態で組み込まれて、前記初期段階で前記内容物放出口をそれまでの閉状態から開状態に移行させる弁部材（例えば後述の弁部材４）の全体を分割して短くした形の、当該内容物放出口から遠い後側のシャットオフ駆動部（例えば後述のシャットオフ駆動部６）と、
前記スパウトに組み込まれて、前記シャットオフ駆動部を前記内容物放出口の方に付勢するための弾性部材（例えば後述のコイルスプリング７）と、
を有し、
前記ステムホルダー，前記スパウト，前記シャットオフ駆動部および前記弾性部材はそれぞれ、
当該ステムホルダーの上に当該スパウトを組み込み、かつ、当該スパウトに当該シャットオフ駆動部および当該弾性部材を組み込んだ状態で、
その全体を上方からみたときの射影形状が、前記アクチュエータキャップの下開口部（例えば後述の下開口部９ｇ）からその内部に組み入れられる形の大きさに設定されている、
構成態様のものを用いる。
（２）上記（１）において、
前記スパウトは、
前記ステムホルダーに続く内容物通路域（例えば後述の上縦筒状部３ａ），シャットオフ作動用の筒状部（例えば後述の横筒状部３ｂ）および前記突出ノズルの保持部（例えば後述の外側横筒状部３ｇ）を備え、
前記シャットオフ駆動部および前記弾性部材はそれぞれ、
前記筒状部に組み込まれている、
構成態様のものを用いる。
（３）上記（１），（２）において、
前記シャットオフ駆動部は、
前記筒状部の前記後側の開口部から前側へと組み込まれる形状からなる、
構成態様のものを用いる。
（４）上記（１），（２），（３）において、
前記ステムホルダーは、
前記内容物放出操作に基づいて、前記シャットオフ駆動部を前記後側へ移動させるためのカム作動部（例えば後述の後起立部２ｄ）を備え、
前記シャットオフ駆動部は、
前記カム作動部に対応したカム従動部（例えば後述のカム従動部６ａ）を備えている、
構成態様のものを用いる。
（５）上記（１），（２），（３），（４）において、
前記筒状部は、
前記弾性部材を組み込んでその長手方向の一端側を保持するための内周面環状段部（例えば後述の小径環状段部３ｄ）を備えている、
構成態様のものを用いる。
（６）上記（１），（２），（３），（４），（５）の内容物放出口シャットオフ用のスパウトユニットをアクチュエータキャップに組み込んだ内容物放出口シャットオフ機構において、
前記アクチュエータキャップは、
前記スパウトユニットの全体を内部空間域に組み込むための前記下開口部（例えば後述の下開口部９ｇ）と、
前記弁部材の全体を分割して短くした形の、前記内容物放出口のシャットオフ作用を呈する前側の移動弁（例えば後述の移動弁５）を組み込んで前記シャットオフ駆動部に係合させ、かつ、当該内容物放出口を備えた前記突出ノズルを組み込むための閉周回形状の前記側面開口部（例えば後述の円形開口部９ｂ）と、を備えている、
構成態様のものを用いる。
（７）上記（６）において、
前記スパウトは、
前記ステムホルダーに続く内容物通路域（例えば後述の上縦筒状部３ａ），シャットオフ作動用の筒状部（例えば後述の横筒状部３ｂ）および前記突出ノズルの保持部（例えば後述の外側横筒状部３ｇ）を備え、
前記シャットオフ駆動部および前記弾性部材はそれぞれ、
前記筒状部に組み込まれている、
構成態様のものを用いる。
（８）上記（６），（７）において、
前記ステムホルダーは、
前記内容物放出操作に基づいて、前記シャットオフ駆動部を前記後側へ移動させるためのカム作動部（例えば後述の後起立部２ｄ）を備え、
前記シャットオフ駆動部は、
前記カム作動部に対応したカム従動部（例えば後述のカム従動部６ａ）を備えている、
構成態様のものを用いる。
【００１６】
このような構成からなる内容物放出口シャットオフ用のスパウトユニット、このスパウトユニットを組み込んだ内容物放出口シャットオフ機構、ならびにこの内容物放出口シャットオフ機構を用いたポンプ式製品およびエアゾール式製品を、本発明の対象としている。
【発明の効果】
【００１７】
本発明は以上の課題解決手段をとることにより、
(11)ステムホルダー，スパウト，弁部材（移動弁＋シャットオフ駆動部），弾性部材および突出ノズルの各部材をアクチュエータキャップに組み込んで最終的なシャットオフ機構を作成する際の、組立作業の簡単化，効率化を図ることができ、
(12)シャットオフ機構の組立工程における各部材の管理の確実化を図ることができる。
【図面の簡単な説明】
【００１８】
【図１】本発明のスパウトユニット（後述のステムホルダー２＋スパウト３＋シャットオフ駆動部６＋コイルスプリング７）の斜視状態を示す説明図である。
【図２】図１のスパウトユニットを用いたシャットオフ機構の静止モードの断面状態を示す説明図である。
【図３】図２のシャットオフ機構の作動モードへの移行初期段階の断面状態を示す説明図である。
【図４】図２のシャットオフ機構の作動モードの断面状態を示す説明図である。
【発明を実施するための最良の形態】
【００１９】
図１乃至図４を用いて本発明を実施するための最良の形態を説明する。
【００２０】
上述したように本発明はポンプ式製品およびエアゾール式製品を対象としているが、以下の記載では、単なる説明の便宜上ポンプ式製品の場合を前提とする。
【００２１】
なお、以下のアルファベット付き参照番号の構成要素（例えば下縦筒状部２ａ）は原則として、この参照番号数字部分の構成要素（例えばステムホルダー２）の一部であることを示している。
【００２２】
図１乃至図４において、
１は周知のポンプ機構の構成要素であってコイルスプリング（図示省略）の強弾性力により上方向に付勢され、内容物通路域を備えた筒状のステム（ピストン），
２はステム１の上端側外周面を嵌合保持して当該ステムからの内容物を通過させるステムホルダー，
２ａはステム１の上端側外周面を嵌合保持するための下縦筒状部，
２ｂは下縦筒状部２ａからその上方に連続する態様で形成されて後述の上縦筒状部３ａの内周面と密接する逆スカート部，
２ｃは下縦筒状部２ａと逆スカート部２ｂとの境界部分に形成された環鍔状部，
２ｄは環鍔状部２ｃの直径相当線を中心としたいわば左右対称位置に形成されたカム作動用の一対の後起立部，
２ｅは後起立部２ｄのカム作用を呈する外方下がりの上端テーパ面，
２ｆは環鍔状部２ｃの内端側であって後起立部２ｄより前側部分の上記左右対称位置に形成されて、スパウトユニット段階での、当該ステムホルダーと後述のスパウト３との上下方向における脱落阻止作用を呈し、かつ、当該ステムホルダーの当該スパウトに対する前後方向および横平面内回動方向における位置決め作用（回動方向については後起立部２ｄとの協働作用）を呈する一対の前起立部，
２ｇは前起立部２ｆの上端側に形成された外向きロック作用部，
２ｈは外向きロック作用部２ｇの上面外側部分に形成された外方下りの傾斜面，
２ｊは環鍔状部２ｃの外端側上下方向に形成されて、最終組立後の製品段階における後述のアクチュエータキャップ９の縦リブ状部９ｅとの係止作用により、当該ステムホルダーのいわば回動方向位相を決定するための計二個の切欠状部（縦凹状部），
をそれぞれ示している。
【００２３】
また、
３はシャットオフ動作に対応して上下動可能な形で逆スカート部２ｂの上端側外周面に取り付けられて、内容物通路域およびシャットオフ動作用空間域などを備えたスパウト，
３ａはその内周面が逆スカート部２ｂの先端部分と密接し、内容物通路域として作用する上縦筒状部，
３ｂは上縦筒状部３ａの上隣に非連通の態様で形成されてシャットオフ動作用空間域を提供する横筒状部，
３ｃは横筒状部３ｂの後端側に形成されて後述のシャットオフ駆動部６（大径駆動部分６ｅ）の前後方向への移動を可能とするための円形状の後開口部，
３ｄは後開口部３ｃの前側連続部分であって後述のコイルスプリング７を受ける小径環状段部，
３ｅは小径環状段部３ｄから前側に続いてスパウトユニット段階のコイルスプリング７を仮保持する小径内周面，
３ｆは小径内周面３ｅから前側に続いて後述の移動弁５と密接してその前後方向への移動を案内する大径内周面，
３ｇは上縦筒状部３ａとの共通部分を含む態様で横筒状部３ｂの外周面前側部分の外側に形成された外側横筒状部，
３ｈは横筒状部３ｂと外側横筒状部３ｇとの間に設定される有底の環凹状部，
３ｊは環凹状部３ｈのいわば底部分を構成して上縦筒状部３ａと共通する部分に形成された内容物通過用の孔部，
３ｋは横筒状部外周面の後側最上部分の長手方向にその後外方まで延びて、後述のシャットオフ駆動部６の横平面内回動方向における位置合わせ作用および前後方向移動時のガイド作用を呈する縦板状のレール作用部，
３ｍはレール作用部３ｋの下面後端部分に形成されて、スパウトユニット段階における後述のシャットオフ駆動部６の凹状貫通部６ｃとの係合作用により当該シャットオフ駆動部分の後方への脱落を防止するための凸状部，
３ｎは当該スパウトを上方から見下ろしたときにレール作用部３ｋを中心とした対称形状となる態様で上縦筒状部３ａの外側に形成されて、当該スパウトをステムホルダー２に保持するためのテーブル状で一対の横板状部，
３ｐは横板状部３ｎの前内側隅部分に形成されて、ステムホルダー２の外向きロック作用部２ｇが入り込んだ形の係合保持作用を呈する上下方向の貫通部，
をそれぞれ示している。
【００２４】
また、
４は作動モード設定およびその解除の各操作に応じてシャットオフ動作のいわばオンオフ作用を呈する弁部材（＝移動弁５＋シャットオフ駆動部６），
５は弁部材４の前側部分を構成する鞘状の移動弁，
５ａは当該移動弁の前端側に形成されて後述の内容物放出口８ａを開閉する弁作用部，
５ｂは当該移動弁の外周面後側部分に形成されて横筒状部３ｂの内周面に密接するスカート部，
５ｃは後述のコイルスプリング７の前端部分を受ける環状後端面，
５ｄは当該移動弁の内周面の後側部分に形成されて後述のシャットオフ駆動部６の環凸状部６ｄと嵌合する環凹状部，
をそれぞれ示している。
【００２５】
また、
６は移動弁５と嵌合する形で弁部材４の後側部分を構成し、ステムホルダー２の後起立部２ｄとの間のカム作用に基づいて前後方向に移動するシャットオフ駆動部，
６ａは当該シャットオフ駆動部の後端の左右両側にそれぞれ上下対称に形成された一対のカム従動部，
６ｂは後起立部２ｄの上端テーパ面２ｅと当接し、カム従動部６ａのカム面として作用する後方下りの下向きテーパ面，
６ｃは一対のカム従動部６ａの間に形成されてスパウト３のレール作用部３ｋを案内する上側前後方向の凹状貫通部，
６ｄは当該シャットオフ駆動部の内周面前側部分に形成されて移動弁５の環凹状部５ｄと嵌合する環凸状部，
６ｅは当該シャットオフ駆動部の円筒状の後側部分であって、スパウト３の後開口部３ｃに組み込まれた状態で前後方向に移動可能な（カム従動部６ａの手前までの）大径駆動部分，
をそれぞれ示している。
【００２６】
また、
７は弁部材４（移動弁５およびこれと一体のシャットオフ駆動部６）を弱弾性力で前方に付勢するため、スパウト３の小径環状段部３ｄと移動弁５の環状後端面５ｃとの間に配設されたコイルスプリング，
８はスパウト３の外側横筒状部３ｇに嵌合状態で取り付けられた内容物放出作動用の突出ノズル，
８ａは当該突出ノズルの前端部分に形成された内容物放出口，
８ｂは後述のアクチュエータキャップ９への組込み対象となる大径横筒状部，
をそれぞれ示している。
【００２７】
また、
９はステムホルダー２，スパウト３，弁部材４，コイルスプリング７および突出ノズル８などを、当該突出ノズルの内容物放出口側部分が飛び出る形で収容し、かつ、作動モードの設定，解除の操作部材として作用する横断面円形状からなり、全体が鞘状のアクチュエータキャップ，
９ａは作動モード設定操作の際に押圧される操作面（上面），
９ｂは当該アクチュエータキャップの周面上部分に、突出ノズル８の組込み対象である大径横筒状部８ｂの外形と合致する大きさで形成されて、当該突出ノズルの保持作用を呈する円形開口部，
９ｃは円形開口部９ｂの下方の内周面に複数形成されて、当該アクチュエータキャップがステムホルダー２からその上方に外れるのを防止するための周方向凸状部，
９ｄは当該アクチュエータキャップの天井面の略中央部分に形成されて、組立後、レール作用部３ｋの前端側の上面に当接するとともにその両側面をいわば挟持し、かつ、外側横筒状部３ｇの上端後面部分と当接する凹状垂下部，
９ｅは当該アクチュエータキャップの前側内周面に対向する長尺態様で形成されて、組立後、その下側部分がステムホルダー２の切欠状部２ｊとの係止作用を呈する一対の縦リブ状部，
９ｆは当該アクチュエータキャップの天井面から内周面縦方向にかけ、縦リブ状部９ｅの直前位置に形成されて、外側横筒状部３ｇの前端面部分を係合保持する（当該外側横筒状部の上端部分については凹状垂下部９ｄとの間に挟持する）とともに、突出ノズル８の後側大径部分の少なくとも横方向を挟持する逆Ｕ字リブ状部，
９ｇは図１のスパウトユニットを当該アクチュエータキャップに組み込む際の入り口として作用する下開口部，
をそれぞれ示している。
【００２８】
また、
１０は後述の各種内容物を収容済みの容器本体（図示省略）の開口部に螺合して、上下方向に移動するステムホルダー２およびスパウト３それぞれの案内機能を備えたカバーキャップ，
１１はカバーキャップ１０に取り付けられて、ステム１の上下動空間域および容器本体内容物の（次回放出用内容物の）一時貯留域、また通路域として作用するハウジング，
をそれぞれ示している。
【００２９】
また、
Ｄ１はスパウト３（横筒状部３ｂ）の円形状の後開口部３ｃの内径
Ｄ２はシャットオフ駆動部６の円筒状の大径駆動部分の外径（Ｄ１＞Ｄ２），
Ｄ３はスパウトユニットの平面形状（環鍔状部２ｃ，横板状部３ｎなどを水平状態に設定したスパウトユニットを真上からみたときの形状）においていわば最長直線となる環鍔状部２ｃの外径，
Ｄ４は横断面円形状のアクチュエータキャップ９（周方向凸状部９ｃの部分を除く）の内径（Ｄ３＜Ｄ４），
をそれぞれ示している。
【００３０】
ここで、ステム１，ステムホルダー２，スパウト３，弁部材４（移動弁５＋シャットオフ駆動部６），突出ノズル８，アクチュエータキャップ９，カバーキャップ１０およびハウジング１１は例えばポリプロピレン，ポリエチレン，ポリアセタール，ナイロン，ポリブチレンテレフタレートなどからなるプラスチック製のものである。コイルスプリング７は金属製，プラスチック製のものである。
【００３１】
本願発明の実施形態としてのスパウトユニットは、図１に示すようにステムホルダー２，スパウト３，シャットオフ駆動部６およびコイルスプリング７の計四個の構成要素それぞれが互いにバラケルことなしに一体化された形のユニット構造である。
【００３２】
図１のスパウトユニットの基本的特徴は、
(21)弁部材４を、前側の移動弁５と後側のシャットオフ駆動部６とに分割し、
(22)スパウト３（横筒状部３ｂ）の円形状の後開口部３ｃの内径Ｄ１と、シャットオフ駆動部６の円筒状の大径駆動部分６ｅの外径Ｄ２と、が「Ｄ１＞Ｄ２」に設定され、
(23)ステムホルダー２およびスパウト３の各部材が上下方向に相対移動可能な形で一体化され、互いの係合作用によりこれら各部材の一体化状態が保持され、
(24)シャットオフ駆動部６が、前後方向に移動可能、かつ前方に抜けることのない形でスパウト３の横筒状部３ｂおよび後開口部３ｃに組み込まれ、当該シャットオフ駆動部の凹状貫通部６ｃ（からその後方に続く縦側面）とレール作用部３ｋの凸状部３ｍとの係合作用により、この組込み後の一体化状態が保持され、
(25)移動弁５を前方に駆動するコイルスプリング７の後端部が横筒状部３ｂの小径環状段部３ｄおよびこれの前側に続く小径内周面３ｅに保持され、
(26)スパウトユニットの平面形状において最長直線となる環鍔状部２ｃの外径Ｄ３が、アクチュエータキャップ９（周方向凸状部９ｃの部分を除く）の内径Ｄ４より、小さく設定されている、
ことなどである。
【００３３】
なお、図１のスパウトユニットに関する上記(26)の内容は、
ステムホルダー２の上にスパウト３を組み込み、かつ、当該スパウトの横筒状部３ｂにシャットオフ駆動部６およびコイルスプリング７を組み込んだ状態のスパウトユニットを、その上方（真上）からみたときの射影形状が、アクチュエータキャップ９の下開口部９ｇからその内部に組み入れられる形の大きさに設定されている、
ともいえる。
【００３４】
ステムホルダー２とスパウト３との間では、
(31)ステムホルダーの前起立部２ｆおよび後起立部２ｄとスパウトの横板状部３ｎとの係合作用により、前後方向や横平面内回動方向における両者の位置関係が画定され、
(32)ステムホルダーの環鍔状部２ｃと外向きロック作用部２ｇとの間にスパウトの横板状部３ｎを挟み込んで両者の上下方向への相対移動範囲を規制し、これにより両者間の抜けが阻止される。
【００３５】
また、スパウト３の横筒状部３ｂの中に後方から組み込まれたシャットオフ駆動部６は、そのカム従動部６ａと、当該横筒状部の後端部分およびレール作用部３ｋの凸状部３ｍのそれぞれとの個別係合作用により、当該横筒状部からの脱落が阻止される。
【００３６】
上述の計四個の構成要素の全体を組み立てた図１のスパウトユニットにおけるステムホルダー２およびスパウト３の上下方向への相対移動範囲は、上記(32)の外、シャットオフ駆動部６のカム従動部６ａと当該ステムホルダーの後起立部２ｄ（上端テーパ面２ｅ）との当接作用によっても規制される。
【００３７】
なお、ステムホルダー２およびスパウト３を組み合わせるには、例えばスパウトをステムホルダーの上方から、その後起立部２ｄおよび前起立部２ｆにスパウトの横板状部３ｎが図示のように当接、案内される形で入れていけばよい。
【００３８】
このとき、
(41)貫通部３ｐ（横板状部３ｎ）を構成する横板状部下端部分が前起立部２ｆの傾斜面２ｈと当接していわば互いに離れる方向へ弾性変形し、
(42)この弾性変形をともないながら、貫通部３ｐが傾斜面２ｈを通りすぎて外向きロック作用部２ｇの底面位置まで移動すると、当該貫通部および当該外向きロック作用部はそれぞれ弾性変形前の原形状に復帰し、
(43)この原形状復帰により、横板状部３ｎの貫通部３ｐに続く部分が外向きロック作用部２ｇの下側に位置して、スパウト３は、その横板状部がステムホルダー２の前起立部２ｆから上方向に抜けない状態に設定される。
【００３９】
また、スパウト３の横筒状部３ｂにシャットオフ駆動部６を組み合わせるには、例えばシャットオフ駆動部を、横筒状部の後開口部３ｃに、その後方から当該シャットオフ駆動部（カム従動部６ａ）の凹状貫通部６ｃが当該スパウトのレール作用部３ｋに案内される形で入れていけばよい。
【００４０】
このとき、
(51)シャットオフ駆動部６（カム従動部６ａ）の凹状貫通部６ｃおよびレール作用部３ｋの凸状部３ｍは、当該凹状貫通部の前端部分から当該凸状部に当接して、互いに相手方を押し込む態様で弾性変形し、
(52)この弾性変形をともないながら凹状貫通部６ｃが凸状部３ｍを通りすぎると、当該凹状貫通部および当該凸状部はそれぞれ弾性変形前の原形状に復帰し、
(53)この原形状復帰により、シャットオフ駆動部６は、そのカム従動部６ａの凹状貫通部６ｃがレール作用部３ｋの凸状部３ｍの前側のみに位置する状態、すなわちレール作用部３ｋの凸状部３ｍから後方向に抜けない状態に設定される。
【００４１】
なお、上述したように、シャットオフ駆動部６の大径駆動部分６ｅを含む前側部分の最大外径Ｄ２は、スパウトユニットの組立ての際にこの前側部分が入り込む円形状の後開口部３ｃの内径Ｄ１よりも、小さく設定されている。
【００４２】
そのため、作業者は、シャットオフ駆動部６の前側部分をスパウト３の後開口部３ｃから横筒状部３ｂの中に組み込むことができる。
【００４３】
ステム１に取り付ける前のシャットオフ機構（図１のスパウトユニット＋移動弁５＋突出ノズル８＋アクチュエータキャップ９）を組み立てるには例えば、
(61)図１のスパウトユニットに、その上方からアクチュエータキャップ９を、ステムホルダー２の切欠状部２ｊと当該アクチュエータキャップの縦リブ状部９ｅとが合致する位置関係で組み入れていき、
(62)最終的には、ステムホルダー２の環鍔状部２ｃの周方向縁部分とアクチュエータキャップ９の周方向凸状部９ｃとの互いに相手方を径方向に押し込む形の弾性変形を経た後、当該環鍔状部が当該周方向凸状部の図示上側に入り込んだ状態で保持されて、すなわちステムホルダー２がアクチュエータキャップ９から抜けないようにし、
(63)次に、移動弁５を、アクチュエータキャップ９の円形開口部９ｂからその内側に入れて、当該移動弁の環凹状部５ｄとシャットオフ駆動部６の環凸状部６ｄとの係合状態に保持し、
(64)次に、突出ノズル８を、同じくアクチュエータキャップ９の円形開口部９ｂからその内側に入れて、当該突出ノズルの大径横筒状部８ｂの外周面と、当該スパウト３の外側横筒状部３ｇの内周面とを係合保持すればよい。
【００４４】
この組立て後のシャットオフ機構は、コイルスプリング７の弾性作用により、シャットオフ駆動部６の下向きテーパ面６ｂがステムホルダー２の上端テーパ面２ｅに当接し、移動弁５の弁作用部５ａが突出ノズル８の内容物放出口８ａを閉塞している。
【００４５】
なお、上記(61)において、図１のスパウトユニットの上方からアクチュエータキャップ９を被せることができるのは、弁部材４を前側の移動弁５と後側のシャットオフ駆動部６とに分割してスパウトユニットから当該移動弁をいわば捨象し、これを真上からみたときの最大長部分であるステムホルダー２の環鍔状部２ｃの外径Ｄ３をアクチュエータキャップ９の内径Ｄ４よりも小さくしているからである。
【００４６】
図２〜図４のシャットオフ機構（内容物放出機構）の動作自体はポンプ式製品やエアゾール式製品において周知である。
【００４７】
ここで、
(71)ステム１およびこれと一体のステムホルダー２はハウジング１１の内部に配設された周知のコイルスプリング（図示省略）の弾性作用により上方向に付勢され、
(72)シャットオフ駆動部６と移動弁５との一体物からなる弁部材４は、スパウト３の内部でコイルスプリング７の弾性作用により前方向（内容物放出口８ａを塞ぐ方向）に付勢され、
(73)スパウト３，突出ノズル８およびアクチュエータキャップ９はその全体がいわば固定状態の一体物であり、
(74)このスパウト３などの一体物はステムホルダー２に対して上下方向のみの移動が可能であり、
(75)アクチュエータキャップ９はその凹状垂下部９ｄがスパウト３のレール作用部３ｋなどに当接し、
(76)スパウト３と上下方向に連動するシャットオフ駆動部６はそのカム従動部６ａの下向きテーパ面６ｂがステムホルダー２（後起立部２ｄ）の上端テーパ面２ｅに倣いながら前後方向に移動する。
【００４８】
図２の静止モードのとき、ステム１が周知のコイルスプリング（図示省略）の作用で上方向に移動してハウジング１１内部の周知のポンプ作動部吐出弁が閉じた状態に設定され、また、突出ノズル８の内容物放出口８ａはコイルスプリング７の作用で前方向に付勢された移動弁５の弁作用部５ａで塞がれている。そのため、ステム１の貯留内容物が内容物放出口８ａから外部空間域へ放出されることは勿論生じない。
【００４９】
なお、コイルスプリング７の弾性力は、ステム１およびこれと一体のステムホルダー２を上方向に付勢する周知のコイルスプリング（図示省略）のそれよりも十分小さい。
【００５０】
図３に示すように、この弾性力の違いにより、静止モードのアクチュエータキャップ９が押下げ操作されるとき先ず弁部材４（移動弁５＋シャットオフ駆動部６）が、その下向きテーパ面６ｂと、静止モード位置のままのステムホルダー２の上端テーパ面２ｅと、の間のカム作用に基づいて後方に移動する。
【００５１】
すなわち、弁部材４は、その移動弁５の弁作用部５ａが突出ノズル８の内容物放出口８ａから離れる後方向へ移動する。
【００５２】
このとき、ステム１およびステムホルダー２からなる一体物は、上述したコイルスプリング（図示省略）の強弾性力により略静止モードの位置にとどまったままである。
【００５３】
そしてアクチュエータキャップ９と一体になって下動するスパウト３の上縦筒状部３ａの下端がステムホルダー２の環鍔状部２ｃの上面部分に当接した段階で、弁部材４の後方への移動が終了する。
【００５４】
その後、上述の環鍔状部２ｃと上縦筒状部３ａとの当接作用を介して、ステムホルダー２およびこれと一体のステム１はアクチュエータキャップ９と下方向に連動する。
【００５５】
図４に示すように、このステム１の下方向への連動にともないハウジング１１に設けられた周知のポンプ機構（図示省略）の吸込弁から吐出弁までの貯留空間域の容量が小さくなってそこでの内容物圧力が増加する。
【００５６】
この内容物圧力が増加する結果、ポンプ機構の吸込弁が閉じ、吐出弁が開いた状態となり、ハウジング内部の貯留内容物は「吐出弁−ステム１の内部通路域−上縦筒状部３ａの内部通路域−孔部３ｊ−突出ノズル８と横筒状部３ｂ，移動弁５との間の突出ノズル通路域」を経て突出ノズル８の内容物放出口８ａから外部空間域に放出さえる。
【００５７】
アクチュエータキャップ９の押下げ操作が解除されると、作動モード位置のステム１，ステムホルダー２，スパウト３および弁部材４（移動弁５）などは、ハウジング１１の内部に配設されたコイルスプリング（強弾性力：図示省略）およびスパウト３の内部に配設されたコイルスプリング７（弱弾性力）の弾性作用により、それぞれ静止モード位置へ復帰する。
【００５８】
すなわち、ステム１の上動にともないポンプ機構の上記貯留空間域の容量が増加してその内部圧力も減じるので吐出弁は閉じ、また、移動弁５の前方向への復帰にともないその弁作用部５ａが突出ノズル８の内容物放出口８ａを閉塞する。
【００５９】
なお、内部圧力が減じる貯留空間域には容器本体（図示省略）の内容物が吸込弁を開きながら流入する。この流入内容物が次回の放出対象となる。
【００６０】
このようなシャットオフ機構を採用する、すなわち内容物放出操作がおこなわれていない静止モードのときに突出ノズル８の内容物放出口８ａを閉じる構成を採ることにより、作動モード解除などにともない内容物放出口付近に残留する内容物が外気にふれて固化するのを防止している。
【００６１】
また、鞘状のアクチュエータキャップ９の周面および上面における開口部として、突出ノズル８の組込み対象部分である大径横筒状部８ｂの外周面と合致する大きさの円形開口部９ｂのみを形成することにより、アクチュエータキャップ９に組込み後の突出ノズル８の下方向への位置ずれを確実に阻止するとともに、アクチュエータキャップ９の内部を一切露出させずに、シャットオフ機構全体のいわば外見をスマートなものにしている。
【００６２】
本発明が、図示の実施形態に限定されないことは勿論であって例えば、
(81)アクチュエータキャップの傾動操作によりステム１を作動モードに設定する、
(82)コイルスプリング７に代えて板バネなどの任意の弾性部材を用いる、
ようにしてもよい。
【００６３】
本発明が適用されるポンプ式製品，エアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００６４】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００６５】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００６６】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００６７】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００６８】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００６９】
高分子化合物としては、メチルセルロース，ゼラチン，デンプン，カゼイン，ヒドロキシエチルセルロース，キサンタンガム，カルボキシビニルポリマーなどを用いる。
【００７０】
各用途に応じた有効成分としては、サリチル酸メチル，インドメタシンなどの消炎鎮痛剤、安息香酸ナトリウム，クレゾールなどの除菌剤、ピレスロイド，ジエチルトルアミドなどの殺虫剤・害虫忌避剤、酸化亜鉛などの制汗剤、ローズオイル、リナロールなどの香料、植物抽出物などの消臭剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００７１】
さらに、上記内容物以外の、懸濁剤，紫外線吸収剤，乳化剤，保湿剤，酸化防止剤、金属イオン封鎖剤なども用いることができる。
【００７２】
エアゾール式製品における内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００７３】
１：ステム（ピストン）
２：ステムホルダー
２ａ：下縦筒状部
２ｂ：逆スカート部
２ｃ：環鍔状部
２ｄ：一対の後起立部
２ｅ：外方下がりの上端テーパ面
２ｆ：一対の前起立部
２ｇ：外向きロック作用部
２ｈ：外方下りの傾斜面
２ｊ：切欠状部（縦凹状部）
【００７４】
３：スパウト
３ａ：上縦筒状部
３ｂ：横筒状部
３ｃ：円形状の後開口部
３ｄ：小径環状段部
３ｅ：小径内周面
３ｆ：大径内周面
３ｇ：外側横筒状部
３ｈ：有底の環凹状部
３ｊ：孔部
３ｋ：縦板状のレール作用部
３ｍ：凸状部
３ｎ：一対の横板状部
３ｐ：上下方向の貫通部
【００７５】
４：弁部材（移動弁５＋シャットオフ駆動部６）
５：鞘状の移動弁
５ａ：弁作用部
５ｂ：スカート部
５ｃ：環状後端面
５ｄ：環凹状部
６：シャットオフ駆動部
６ａ：一対のカム従動部
６ｂ：後方下りの下向きテーパ面
６ｃ：上側前後方向の凹状貫通部
６ｄ：環凸状部
６ｅ：大径駆動部分
【００７６】
７：コイルスプリング
８：突出ノズル
８ａ：内容物放出口
８ｂ：大径横筒状部
９：鞘状のアクチュエータキャップ
９ａ：操作面（上面）
９ｂ：円形開口部
９ｃ：周方向凸状部
９ｄ：凹状垂下部
９ｅ：一対の縦リブ状部
９ｆ：逆Ｕ字リブ状部
９ｇ：下開口部
１０：カバーキャップ
１１：ハウジング
【００７７】
Ｄ１：後開口部３ｃの内径
Ｄ２：大径駆動部分６ｅの外径（Ｄ１＞Ｄ２）
Ｄ３：環鍔状部２ｃの外径
Ｄ４：アクチュエータキャップ９の内径（Ｄ３＜Ｄ４）
【図１】
2014076843.tif 000003
【図２】
2014076843.tif 000004
【図３】
2014076843.tif 000005
【図４】
2014076843.tif 000006